(57)【要約】【課題】外部環境の変化を検知して警報を発した後に、ユーザーに適切な対応を実行させ易い警報器を提供する。【解決手段】外部環境の変化を検知する検知手段１０と、選択可能な複数種類の出力信号を予め記憶する記憶手段２０と、警報レベル以上の外部環境の変化を検知したと判定した場合に、記憶手段２０に記憶されている出力信号のうちの何れかの警報音信号を警報音として出力する出力手段３０と、警報音の出力を停止する警報停止スイッチ４０と、警報停止スイッチ４０の操作による警報音の出力の停止時に、警報音信号とは異なる出力信号であり、ユーザーが取るべき対応に関する対処メッセージ信号Ｓ２２を対処メッセージＳ３２として出力手段３０より出力するように制御する制御手段５０と、を備えた警報器Ｘ。【選択図】図３
2017228133.tif 000002
【特許請求の範囲】
【請求項１】
外部環境の変化を検知する検知手段と、
選択可能な複数種類の出力信号を予め記憶する記憶手段と、
警報レベル以上の外部環境の変化を検知したと判定した場合に、前記記憶手段に記憶されている出力信号のうちの何れかの警報音信号を警報音として出力する出力手段と、
前記警報音の出力を停止する警報停止スイッチと、
前記警報停止スイッチの操作による前記警報音の出力の停止時に、当該警報音信号とは異なる出力信号であり、ユーザーが取るべき対応に関する対処メッセージ信号を対処メッセージとして前記出力手段より出力するように制御する制御手段と、を備えた警報器。
【請求項２】
前記制御手段は、前記対処メッセージを、前記警報停止スイッチを操作するたびに出力するように制御してある請求項１に記載の警報器。
【請求項３】
前記制御手段は、外部環境の変化が警報レベル以下となったときには、前記警報停止スイッチを操作しても前記対処メッセージは出力されないように制御してある請求項１または２に記載の警報器。
【請求項４】
前記警報停止スイッチを操作したときに、所定時間のみ前記警報音の出力を停止するように構成してある請求項１〜３の何れか一項に記載の警報器。
【請求項５】
前記警報停止スイッチを操作したときに、所定時間のみ前記警報音の出力が停止された後に、外部環境の変化が警報レベル以上であれば、再度、前記出力手段によって前記警報音を出力し、このとき、前記制御手段は、前記警報停止スイッチの操作をしても、前記警報音の出力の停止はせず、前記対処メッセージも出力しないように制御するように構成してある請求項１〜４の何れか一項に記載の警報器。
【請求項６】
前記対処メッセージは、擬音を含まないメッセージとしてある請求項１〜５の何れか一項に記載の警報器。
【請求項７】
前記対処メッセージは、さらにユーザーの心理状態に関する内容を含む請求項１〜６の何れか一項に記載の警報器。
【請求項８】
前記警報停止スイッチは、前記警報音の出力を停止する機能、および、前記警報器の点検機能を兼ねており、前記警報音の出力を停止する機能の場合は擬音を含まず、前記警報器の点検機能の場合は擬音を含む請求項１〜７の何れか一項に記載の警報器。
【発明の詳細な説明】
【技術分野】
【０００１】
本発明は、外部環境の変化を検知する検知手段と、選択可能な複数種類の出力信号を予め記憶する記憶手段と、警報レベル以上の外部環境の変化を検知したと判定した場合に、前記記憶手段に記憶されている出力信号のうちの何れかの警報音信号を警報音として出力する出力手段と、を備えた警報器に関する。
【背景技術】
【０００２】
特許文献１には、異常状態警報手段により警報が発せられている場合に所定の操作がされることで、この警報を所定時間停止させる停止手段を備え、異常状態警報手段は、停止手段により警報が停止させられた所定時間中において、規定時間間隔で報知を行うことが記載してある。
【０００３】
この警報器によれば、警報が停止させられた所定時間中において、規定時間間隔で報知を行うため、誤報と勘違いして警報を停止してしまっても注意喚起を行うことができていた。
【先行技術文献】
【特許文献】
【０００４】
【特許文献１】特開２０１４−５９６１３号公報
【発明の概要】
【発明が解決しようとする課題】
【０００５】
特許文献１に記載の警報器では、規定時間間隔で報知を行う内容としては、「ピィポッピィポッ、火災警報が作動しました。確認して下さい。」という音声メッセージが警報報知として出力される。
【０００６】
例えば、高齢者がこのような警報報知を聞いた場合、どのような行動をしてよいか判断できない場合がある。仮に、異常状態を悪化させるような行動をとった場合、事態はより深刻な状態となる可能性がある。
【０００７】
従って、本発明の目的は、外部環境の変化を検知して警報を発した後に、ユーザーに適切な対応を実行させ易い警報器を提供することにある。
【課題を解決するための手段】
【０００８】
上記目的を達成するための本発明に係る警報器の第一特徴構成は、外部環境の変化を検知する検知手段と、選択可能な複数種類の出力信号を予め記憶する記憶手段と、警報レベル以上の外部環境の変化を検知したと判定した場合に、前記記憶手段に記憶されている出力信号のうちの何れかの警報音信号を警報音として出力する出力手段と、前記警報音の出力を停止する警報停止スイッチと、前記警報停止スイッチの操作による前記警報音の出力の停止時に、当該警報音信号とは異なる出力信号であり、ユーザーが取るべき対応に関する対処メッセージ信号を対処メッセージとして前記出力手段より出力するように制御する制御手段と、を備えた点にある。
【０００９】
本構成によれば、警報音の出力の停止時に対処メッセージを出力手段より出力すれば、警報音の出力を警報停止スイッチの操作によって停止したユーザーは、対処メッセージをその場で確実に聞くことができるため、対処メッセージを確実に理解させ易くなる。対処メッセージは、ユーザーが取るべき対応に関する内容であるため、外部環境の変化を検知した警報器から出力される対処メッセージに従って、例えば適切な行動をするようにユーザーを誘導することができる。そのため、例えばＬＰガス漏れ時に「換気扇を回さないで下さい」或いは「扉や窓を開けて換気して下さい」等の対処メッセージをユーザーに聞かせることで、外部環境の変化を悪化させるような行動をとらせるのを未然に防止することができる。
【００１０】
仮に、警報を発したときに警報音を停止せずに対処メッセージをユーザーに聞かせた場合は、対処メッセージを聞き逃したり、特に高齢者であれば、どのような行動をしてよいか判断できない場合がある。一方、本構成の警報器では、外部環境の変化を検知して警報を発した後に警報音を停止して、対処メッセージのみをユーザーに聞かせることで、ユーザーに適切な対応を実行させ易くなる。
【００１１】
本発明に係る警報器の第二特徴構成は、前記制御手段は、前記対処メッセージを、前記警報停止スイッチを操作するたびに出力するように制御した点にある。
【００１２】
本構成によれば、ユーザーが聞き逃した対処メッセージを何度も聞き直すことができるため、ユーザーは確実に適切な行動をとり易くなる。
【００１３】
本発明に係る警報器の第三特徴構成は、前記制御手段は、外部環境の変化が警報レベル以下となったときには、前記警報停止スイッチを操作しても前記対処メッセージは出力されないように制御した点にある。
【００１４】
本構成によれば、既に外部環境の変化が警報レベル以下となっているため、ユーザーに対処メッセージを聞かせる必要がないため、無駄な対処メッセージの出力を防止することができる。
【００１５】
本発明に係る警報器の第四特徴構成は、前記警報停止スイッチを操作したときに、所定時間のみ前記警報音の出力を停止するように構成した点にある。
【００１６】
本構成によれば、所定時間を設定することで、所定時間の間に対処メッセージを出力手段より出力することができる。外部環境の変化が長時間に亘る場合には、所定時間の経過後に警報音の出力を再開させることができる。これにより、ユーザーに外部環境の変化が続いていることを認識させることができる。
【００１７】
本発明に係る警報器の第五特徴構成は、前記警報停止スイッチを操作したときに、所定時間のみ前記警報音の出力が停止された後に、外部環境の変化が警報レベル以上であれば、再度、前記出力手段によって前記警報音を出力し、このとき、前記制御手段は、前記警報停止スイッチの操作をしても、前記警報音の出力の停止はせず、前記対処メッセージも出力しないように制御するように構成した点にある。
【００１８】
本構成によれば、外部環境の変化の状態が長く続いていることをユーザーに確実に認識させることができる。
【００１９】
本発明に係る警報器の第六特徴構成は、前記対処メッセージは、擬音を含まないメッセージとした点にある。
【００２０】
本構成によれば、メッセージのみがユーザーに伝達されるため、メッセージがユーザーに伝わりやすくなる。
【００２１】
本発明に係る警報器の第七特徴構成は、前記対処メッセージは、さらにユーザーの心理状態に関する内容を含む点にある。
【００２２】
本構成によれば、特に高齢者の場合、警報器が警報音を出力した場合、どのような行動をしてよいか判断できない場合がある。本構成の対処メッセージであれば、ユーザーの心理状態に関する内容を含むため、警報器が警報音を出力した後のユーザーに適切なアドバイスを聞かせることができ、さらにユーザーに心理的に落ち着いて対処させることが期待できる。
【００２３】
本発明に係る警報器の第八特徴構成は、前記警報停止スイッチは、前記警報音の出力を停止する機能、および、前記警報器の点検機能を兼ねており、前記警報音の出力を停止する機能の場合は擬音を含まず、前記警報器の点検機能の場合は擬音を含む点にある。
【００２４】
本構成によれば、警報停止スイッチの操作がされたときに、擬音を発しない場合（警報停止時）、および、擬音を発する場合（点検時）がある構成とすることができる。
【図面の簡単な説明】
【００２５】
【図１】本発明の警報器の概略図である。
【図２】本発明の警報器のブロック図である。
【図３】対処メッセージ出力時の概略図である。
【発明を実施するための形態】
【００２６】
以下、本発明の実施形態を図面に基づいて説明する。
図１〜３に示したように、本発明の警報器Ｘは、外部環境の変化を検知する検知手段１０と、選択可能な複数種類の出力信号を予め記憶する記憶手段２０と、警報レベル以上の外部環境の変化を検知したと判定した場合に、記憶手段２０に記憶されている出力信号のうちの何れかの警報音信号Ｓ２１を警報音Ｓ３１として出力する出力手段３０と、警報音Ｓ３１の出力を停止する警報停止スイッチ４０と、当該警報停止スイッチ４０の操作による警報音Ｓ３１の出力の停止時に、当該警報音信号Ｓ２１とは異なる出力信号であり、ユーザーが取るべき対応に関する対処メッセージ信号Ｓ２２を対処メッセージＳ３２として出力手段３０より出力するように制御する制御手段５０と、を備える。
【００２７】
警報器Ｘは、さらに、検知手段１０が検知した結果に基づいて外部環境の変化の程度を判定する演算手段６０、電源スイッチ部（図外）を備える。本実施形態では、警報器Ｘの状態が視覚によって直ちに認識できるように、二色のランプ、例えば電源ランプ７１（緑）、警報ランプ７２（赤）を備える場合について説明するが、ランプの数や色はこれらに限定されるものではない。
【００２８】
（検知手段）
検知手段１０として、例えばＬＰガスセンサ、都市ガスセンサ、ＣＯセンサ、火災センサ等を備えるとよい。ＬＰガスセンサはＬＰガスを検出でき、都市ガスセンサは炭化水素ガス等の漏洩ガスを検出することができ、ＣＯセンサは不完全燃焼で発生する一酸化炭素ガスを検出できるものであれば、公知の半導体式センサ素子や接触燃焼式ガスセンサ素子などが使用できる。また、火災センサは、温度の上昇を感知する温度センサや、煙感知機能を有する公知の散乱光式煙センサなどが使用できる。本実施形態では、警報器Ｘとして、検知手段１０としてＬＰガスセンサを適用したガス警報器とした場合について説明する。この場合、ＬＰガスセンサとして、公知の熱線型半導体式ガス検知素子を使用する場合について説明する。
【００２９】
（記憶手段）
記憶手段２０は、複数種類の警報音信号Ｓ２１および対処メッセージ信号Ｓ２２を記憶できるメモリやストレージであれば、どのような態様でもよい。記憶手段２０には、複数種類の警報音信号Ｓ２１として、警報音Ｓ３１に変換して出力手段３０より出力した場合に、例えば家庭用ガス警報器で必要とする合成音信号である（例えば「ガスが漏れていませんか」などの合成音声）と、業務用ガス警報器で必要とする電子音信号である（例えば「ピッ、ピッ、ピッ、ピッ、」などの電子音（擬音））との２種類を記憶するとよい。また、これらを組み合わせたものであってもよい。記憶する警報音信号の数は２種類以上であってもよく、合成音声および電子音の態様は、上記以外でもよい。
【００３０】
対処メッセージ信号Ｓ２２として、対処メッセージＳ３２に変換して出力手段３０より出力した場合（図３）に、「扉や窓を開けて換気して下さい」、「換気扇を回さないで下さい」、「電源を切らないでください」、等のユーザーの行動に関する内容を含むものや、さらに、「落ち着いて下さい」等のユーザーの心理状態に関する内容を含むものなどが挙げられるが、これらに限定されるものではない。
【００３１】
また、対処メッセージ信号Ｓ２２を対処メッセージＳ３２に変換したメッセージは、擬音を含まないメッセージとしてあるとよい。これにより、メッセージのみがユーザーに伝達されるため、メッセージがユーザーに伝わりやすくなる。
【００３２】
また、記憶手段２０は、機器故障時に出力するメッセージとして「ピッ、ピッ、ピッ、故障です」等の信号、機器正常時に出力するメッセージとして「機器正常です」、センサの交換時期超過時に出力する音声として「交換時期を過ぎています」等の信号を記憶してもよい。このように複数のメッセージを記憶しておけば、警報器Ｘは、上述した二色のランプの色と音声で警報器Ｘの種々の状態をユーザーにお知らせすることができる。詳細は後述する。
【００３３】
（出力手段）
出力手段３０は、検知手段１０が警報レベル以上の被検知ガス濃度を継続して検知したことを演算手段６０が判定した場合、当該演算手段６０から警報信号Ｓ１を受け取り、選択された警報音信号Ｓ２１に基づいて音声により警報を発する。本実施形態では、出力手段３０はスピーカおよびその駆動回路で構成され、警報音信号Ｓ２１を警報音Ｓ３１に変換して出力する（図２）。
【００３４】
尚、演算手段６０は、検知手段１０がＬＰガスの漏洩を検知した出力に基づき、ＬＰガス濃度を算出する濃度算出部を備える。当該濃度算出部は、検知手段１０からの出力信号に基づいてＬＰガス濃度を算出できるマイコンなどを使用するとよい。
【００３５】
また、出力手段３０は、当該警報音信号Ｓ２１とは異なる出力信号である対処メッセージ信号Ｓ２２を対処メッセージＳ３２に変換して出力する（図３）。
【００３６】
出力手段３０から出力される警報音Ｓ３１および対処メッセージＳ３２は、音量や音の周波数、音調などを異ならせてもよい。また、対処メッセージＳ３２は警報音Ｓ３１に比べて聞き取り易いようにスローな調子で出力してもよい。これにより、落ち着いた行動を促すことができる。
【００３７】
（警報停止スイッチ）
警報停止スイッチ４０は、警報音Ｓ３１の出力を停止するスイッチであれば、どのような態様であってもよい。本実施形態では、警報停止スイッチ４０は、警報音Ｓ３１の出力を停止する機能、および、警報器Ｘの点検機能を兼ねている場合について説明する。点検機能は、外部環境の変化（ＬＰガス漏れ）が認められない状態の場合に使用できる。
【００３８】
これにより、警報器Ｘの構造を簡略化することができる。
警報停止スイッチ４０において、警報音Ｓ３１の出力を停止する機能の場合は、上述したように擬音を含まないメッセージとし、警報器Ｘの点検機能とする場合は、上述したように「ピッ、ピッ、ピッ、故障です」のように擬音を含むメッセージとすればよい。
【００３９】
警報停止スイッチ４０は、当該警報停止スイッチ４０を操作したときに、所定時間のみ警報音Ｓ３１の出力を停止する。所定時間は適宜設定することができるが、本実施形態では、所定時間を１分間とした場合について説明する。
【００４０】
このように所定時間を設定することで、所定時間の間に対処メッセージＳ３２を出力手段３０より出力することができる。外部環境の変化（ＬＰガス漏れ）が長時間に亘る場合には、所定時間の経過後に警報音Ｓ３１の出力を再開させることができる。これにより、ユーザーに外部環境の変化（ＬＰガス漏れ）が続いていることを認識させることができる。
【００４１】
（制御手段）
制御手段５０は、警報停止スイッチ４０の操作による警報音Ｓ３１の出力の停止時に、当該警報音信号Ｓ２１とは異なる出力信号であり、ユーザーが取るべき対応に関する対処メッセージ信号Ｓ２２を対処メッセージＳ３２として出力手段３０より出力するように制御する。
【００４２】
このように警報音Ｓ３１の出力の停止時に対処メッセージＳ３２を出力手段３０より出力すれば、警報音Ｓ３１の出力を警報停止スイッチ４０の操作によって停止したユーザーは、対処メッセージＳ３２をその場で確実に聞くことができるため、対処メッセージＳ３２を確実に理解させ易くなる。対処メッセージＳ３２は、ユーザーが取るべき対応に関する内容であるため、ＬＰガスを検知した警報器Ｘから出力される対処メッセージＳ３２に従って例えば適切な行動をするようにユーザーを誘導することができる。そのため、例えば、ＬＰガス漏れ時に「換気扇を回さないで下さい」或いは「扉や窓を開けて換気して下さい」等の対処メッセージＳ３２をユーザーに聞かせることで、ＬＰガス漏れという外部環境の変化を悪化させるような行動をとらせるのを未然に防止することができる。
【００４３】
特に高齢者の場合、警報器Ｘが警報音Ｓ３１を出力した場合、どのような行動をしてよいか判断できない場合がある。本構成の対処メッセージ信号Ｓ２２（対処メッセージＳ３２）が、ユーザーの心理状態に関する内容を含む場合は、警報器Ｘが警報音Ｓ３１を出力した後のユーザーに適切なアドバイスを聞かせることができ、さらにユーザーに心理的に落ち着いて対処させることが期待できる。
【００４４】
制御手段５０は、対処メッセージＳ３２を、警報停止スイッチ４０の操作時に一度だけ出力するように制御してもよい。
【００４５】
これにより、ユーザーに何度も同じ対処メッセージＳ３２を聞かせないようにすることができる。
【００４６】
或いは、対処メッセージＳ３２を、警報停止スイッチ４０を操作するたびに出力するように制御してもよい。
【００４７】
このときは、ユーザーが聞き逃した対処メッセージＳ３２を何度も聞き直すことができるため、ユーザーは確実に適切な行動をとり易くなる。
【００４８】
制御手段５０は、外部環境の変化が警報レベル以下となったときには、警報停止スイッチ４０を操作しても対処メッセージＳ３２は出力されないように制御してある。
【００４９】
本構成では、既に外部環境の変化（ＬＰガス漏れ）が警報レベル以下となっているため、ユーザーに対処メッセージＳ３２を聞かせる必要がない。
【００５０】
警報停止スイッチ４０を操作したときに、所定時間のみ警報音Ｓ３１の出力が停止された後に、外部環境の変化が警報レベル以上であれば、再度、出力手段３０によって警報音Ｓ３１を出力する。このとき、制御手段５０は、警報停止スイッチ４０の操作をしても、警報音Ｓ３１の出力の停止はせず、対処メッセージＳ３２も出力しないように制御する。
【００５１】
本構成であれば、外部環境の変化（ＬＰガス漏れ）の状態が長く続いていることをユーザーに確実に認識させることができる。
【００５２】
上述したように、本発明の警報器Ｘは、二色のランプの色と音声で警報器Ｘの種々の状態をユーザーにお知らせすることができる。
【００５３】
ＬＰガス漏れ監視時は、電源ランプ７１（緑）点灯、警報ランプ７２（赤）消灯とする。
【００５４】
ガス警報時は、電源ランプ７１（緑）点灯、警報ランプ７２（赤）点灯の状態で、「ピッ、ピッ、ピッ、ピッ、ガスが漏れていませんか」等の警報音Ｓ３１を出力させる。
【００５５】
警報器Ｘが故障したときは、電源ランプ７１（緑）が高速で点滅し、「ピッ、ピッ、ピッ、故障です」等の音声を出力させる。このときの点滅は例えば４Ｈｚの点滅（０．１２５秒点灯/０．１２５秒消灯の繰り返し）とすればよい。
【００５６】
警報停止スイッチ４０を点検機能として使用した場合、警報器Ｘが正常である場合は、電源ランプ７１（緑）点灯の状態で「機器正常です」の音声を出力させる。また、センサの交換時期超過時であると判断された場合は、電源ランプ７１（緑）がゆっくり点滅し、「交換時期を過ぎています」等の音声を出力させる。このときの点滅は例えば０．５Ｈｚ（１秒点灯/１秒消灯の繰り返し）とすればよい。
【００５７】
警報停止スイッチ４０による警報音Ｓ３１の出力を停止する場合は、電源ランプ７１（緑）点灯、警報ランプ７２（赤）点灯の状態で、「扉や窓を開けて換気して下さい」等の対処メッセージＳ３２を出力させる。
【産業上の利用可能性】
【００５８】
本発明は、外部環境の変化を検知する検知手段と、選択可能な複数種類の出力信号を予め記憶する記憶手段と、警報レベル以上の外部環境の変化を検知したと判定した場合に、前記記憶手段に記憶されている出力信号のうちの何れかの警報音信号を警報音として出力する出力手段と、を備えた警報器に利用できる。
【符号の説明】
【００５９】
Ｘ            警報器
Ｓ２１        警報音信号
Ｓ２２        対処メッセージ信号
Ｓ３１        警報音
Ｓ３２        対処メッセージ
１０          検知手段
２０          記憶手段
３０          出力手段
４０          警報停止スイッチ
５０          制御手段
【図１】
2017228133.tif 000003
【図２】
2017228133.tif 000004
【図３】
2017228133.tif 000005